(57)【要約】【課題】オントラックでの記録能力を確保したままサイドシールドからの漏れ磁界を低減し、高トラック密度化を図ることが可能な磁気ヘッド、およびこれを備えたディスク装置を提供する。【解決手段】ディスク装置の磁気ヘッドは、スライダと、スライダに設けられ記録媒体に対し情報処理を行うヘッド部と、を備え、ヘッド部は、記録層に対し垂直な記録磁界を印加する主磁極６６と、主磁極を励磁する記録コイルと、主磁極のトレーリング側にライトギャップを置いて対向し、記録媒体１２の下地層との間で閉磁路を形成するライトシールド磁極と、主磁極のトラック幅方向の両側に、主磁極から磁気的に離間して設けられたサイドシールド７０と、主磁極の飽和磁束密度よりも小さい飽和磁束密度を有する材料で形成され、主磁極とサイドシールドとが対向する位置に設けられ、主磁極からサイドシールドへの磁束の流を規制する低磁束密度層７６ａ、７６ｂと、を備えている。【選択図】    図５
2010287289.tif 000002
【特許請求の範囲】
【請求項１】
媒体面に対して垂直方向に磁気異方性を有する記録層を有する記録媒体に記録を行う垂直記録用の磁気ヘッドであって、
前記記録媒体の表面と対向する対向面を有するスライダと、
前記スライダに設けられ前記記録媒体に対し情報処理を行うヘッド部と、を備え、前記ヘッド部は、
前記記録層に対し垂直な記録磁界を印加する主磁極と、
前記主磁極を励磁する記録コイルと、
前記主磁極のトレーリング側にライトギャップを置いて対向し、前記記録媒体の下地層との間で閉磁路を形成するライトシールド磁極と、
前記主磁極のトラック幅方向の両側に、前記主磁極から磁気的に離間して設けられたサイドシールドと、
前記主磁極の飽和磁束密度よりも小さい飽和磁束密度を有する材料で形成され、前記主磁極とサイドシールドとが対向する位置に設けられ、前記主磁極からサイドシールドへの磁束の流を規制する低磁束密度層と、
を備えている磁気ヘッド。
【請求項２】
前記低磁束密度層は、前記主磁極とサイドシールドとが対向する位置で前記主磁極に形成されている請求項１に記載の磁気ヘッド。
【請求項３】
前記低磁束密度層は、前記主磁極とサイドシールドとが対向する位置で前記サイドシールドに形成されている請求項１に記載の磁気ヘッド。
【請求項４】
前記低磁束密度層は、前記主磁極とサイドシールドとが対向する位置で前記主磁極とサイドシールドとの間に充填されている請求項１に記載の磁気ヘッド。
【請求項５】
前記サイドシールドは、前記主磁極の飽和磁束密度よりも小さい飽和磁束密度を有する材料で形成され、前記低磁束密度層は、前記主磁極の飽和磁束密度および前記サイドシールドの飽和磁束密度よりも小さい飽和磁束密度を有する材料で形成されている請求項１ないし４のいずれか１項に記載の磁気ヘッド。
【請求項６】
前記主磁極は、前記記録媒体の表面に対して垂直な方向に延び、前記記録媒体の表面側に向かって先細に絞られた絞り部と、絞り部から前記ディスク対向面まで延びる先端部とを有し、
前記低磁束密度層は、前記絞り部の側面とサイドシールドの側面とが対向する位置に設けられている請求項１ないし５のいずれか１項に記載の磁気ヘッド。
【請求項７】
媒体面に対して垂直方向に磁気異方性を有する記録層と、を有するディスク状の記録媒体と、
前記記録媒体を支持しているとともに回転する駆動部と、
前記記録媒体の表面と対向する対向面を有するスライダ、および前記スライダに設けられ前記記録媒体に対し情報処理を行うヘッド部を有する磁気ヘッドと、を備え、
前記ヘッド部は、
前記記録層に対し垂直な記録磁界を印加する主磁極と、
前記主磁極を励磁する記録コイルと、
前記主磁極のトレーリング側にライトギャップを置いて対向し、前記記録媒体の下地層との間で閉磁路を形成するライトシールド磁極と、
前記主磁極のトラック幅方向の両側に、前記主磁極から磁気的に離間して設けられたサイドシールドと、
前記主磁極の飽和磁束密度よりも小さい飽和磁束密度を有する材料で形成され、前記主磁極とサイドシールドとが対向する位置に設けられ、前記主磁極からサイドシールドへの磁束の流を規制する低磁束密度層と、
を備えているディスク装置。
【請求項８】
前記記録媒体は、軟磁気特性を有する下地層を有している請求項７に記載のディスク装置。
【発明の詳細な説明】
【技術分野】
【０００１】
この発明は、ディスク装置に用いる垂直磁気記録用の磁気ヘッド、この磁気ヘッドを備えたディスク装置に関する。
【背景技術】
【０００２】
ディスク装置として、例えば、磁気ディスク装置は、ケース内に配設された磁気ディスクと、磁気ディスクを支持および回転駆動するスピンドルモータと、磁気ディスクに対して情報のリード／ライトを行う磁気ヘッドと、磁気ヘッドを磁気ディスクに対して移動自在に支持したキャリッジアッセンブリと、を備えている。磁気ヘッドは、キャリッジアッセンブリのサスペンションに取り付けられたスライダ、およびスライダに設けられたヘッド部を有し、このヘッド部は、ライト用の記録ヘッドとリード用の再生ヘッドとを含んで構成されている。
【０００３】
近年、磁気ディスク装置の高記録密度化、大容量化あるいは小型化を図るため、垂直磁気記録用の磁気ヘッドが提案されている。このような磁気ヘッドにおいて、記録ヘッドは、垂直方向磁界を発生させる主磁極と、その主磁極のトレーリング側にライトギャップを挟んで配置されて磁気ディスクとの間で磁路を閉じるライトシールド磁極と、主磁極に磁束を流すためのコイルとを有している。主磁極のトラック幅方向の両側には、ライトシールド磁極と磁気的に接合したサイドシールドが配置され、主磁極の端部は、サイドシールド間に、一部が位置している（例えば、特許文献１、特許文献２参照）。
【０００４】
主磁極の直下から磁気ディスク上に記録磁界が印加され、磁気ディスクの記録層に対して、ライトギャップの幅とほぼ等しい幅のトラックに沿って記録パターンが垂直記録される。
【先行技術文献】
【特許文献】
【０００５】
【特許文献１】特開２００７−２９４０５９号公報
【特許文献２】特開２００６−２５２６２０号公報
【発明の概要】
【発明が解決しようとする課題】
【０００６】
上記のようなサイドシールドを搭載した垂直磁気記録ヘッドでは、隣接トラックへの磁界を抑制することができるが、同時にオントラック信号を記録する主磁極からの磁界強度が減少する。そのため、主磁極の先端絞込み部分を広くて体積を増大させることにより、磁界強度を確保する構造が考えられる。しかしながら、このような体積を増大させた構造の主磁極とサイドシールドとを組み合わせた場合、主磁極からサイドシールドへ直接流れ込む磁束が増大し、サイドシールド直下から媒体へ磁束が漏れることにより隣接トラックの情報を消去または劣化させる現象が起こりうる。そのため、一層の記録密度の向上を図ることが困難となる。
【０００７】
この発明は以上の点に鑑みなされたもので、その目的は、オントラックでの記録能力を確保したままサイドシールドからの漏れ磁界を低減し、記録の高密度化を図ることが可能な磁気ヘッド、およびこれを備えたディスク装置を提供することにある。
【課題を解決するための手段】
【０００８】
この発明の態様に係る磁気ヘッドは、媒体面に対して垂直方向に磁気異方性を有する記録層を有する記録媒体に記録を行う垂直記録用の磁気ヘッドであって、前記記録媒体の表面と対向する対向面を有するスライダと、前記スライダに設けられ前記記録媒体に対し情報処理を行うヘッド部と、を備え、前記ヘッド部は、前記記録層に対し垂直な記録磁界を印加する主磁極と、前記主磁極を励磁する記録コイルと、前記主磁極のトレーリング側にライトギャップを置いて対向し、前記記録媒体の下地層との間で閉磁路を形成するライトシールド磁極と、前記主磁極のトラック幅方向の両側に、前記主磁極から磁気的に離間して設けられたサイドシールドと、前記主磁極の飽和磁束密度よりも小さい飽和磁束密度を有する材料で形成され、前記主磁極とサイドシールドとが対向する位置に設けられ、前記主磁極からサイドシールドへの磁束の流を規制する低磁束密度層と、を備えている。
【０００９】
この発明の他の態様に係るディスク装置は、媒体面に対して垂直方向に磁気異方性を有する記録層を有するディスク状の記録媒体と、前記記録媒体を支持しているとともに回転する駆動部と、前記記録媒体の表面と対向する対向面を有するスライダ、および前記スライダに設けられ前記記録媒体に対し情報処理を行うヘッド部を有する磁気ヘッドと、を備え、  
前記ヘッド部は、前記記録層に対し垂直な記録磁界を印加する主磁極と、前記主磁極を励磁する記録コイルと、前記主磁極のトレーリング側にライトギャップを置いて対向し、前記記録媒体の下地層との間で閉磁路を形成するライトシールド磁極と、前記主磁極のトラック幅方向の両側に、前記主磁極から磁気的に離間して設けられたサイドシールドと、前記主磁極の飽和磁束密度よりも小さい飽和磁束密度を有する材料で形成され、前記主磁極とサイドシールドとが対向する位置に設けられ、前記主磁極からサイドシールドへの磁束の流を規制する低磁束密度層と、を備えている。
【発明の効果】
【００１０】
本発明の態様によれば、オントラックでの記録能力を確保したままサイドシールドからの漏れ磁界を低減し、隣接トラックの情報消去、劣化を防止することができ、高トラック密度化を図ることが可能な磁気ヘッド、およびこれを備えたディスク装置を提供することができる。
【図面の簡単な説明】
【００１１】
【図１】図１は、この発明の第１の実施形態に係るＨＤＤを示す斜視図。
【図２】図２は、前記ＨＤＤにおける磁気ヘッドおよびサスペンションを示す側面図。
【図３】図３は、前記磁気ヘッドのヘッド部を拡大して示す断面図。
【図４】図４は、前記磁気ヘッドの記録ヘッドを模式的に示す斜視図。
【図５】図５は、前記記録ヘッドの主磁極先端部、サイドシールドを拡大して示す側面図。
【図６】図６は、前記記録ヘッドをスライダのディスク対向面側から見た平面図。
【図７】図７は、トラック幅方向に沿った磁界強度の変化を、本実施形態に係る磁気ヘッドと比較例に係る磁気ヘッドとで比較して示す図。
【図８】図８は、トラック幅方向に沿ったビットエラーレートを、本実施形態に係る磁気ヘッドと比較例に係る磁気ヘッドとで比較して示す図。
【図９】図９は、この発明の第２の実施形態に係る磁気ヘッドの記録ヘッドを模式的に示す斜視図。
【図１０】図１０は、前記記録ヘッドの主磁極先端部、サイドシールドを拡大して示す側面図。
【図１１】図１１は、この発明の第３の実施形態に係る磁気ヘッドの記録ヘッドにおける主磁極先端部、サイドシールドを拡大して示す側面図。
【発明を実施するための形態】
【００１２】
以下図面を参照しながら、この発明に係るディスク装置をハードディスクドライブ（以下、ＨＤＤと称する）に適用した第１の実施形態について詳細に説明する。
【００１３】
図１は、ＨＤＤのトップカバーを取り外して内部構造を示し、図２は、浮上状態の磁気ヘッドを示している。図１に示すように、ＨＤＤは筐体１０を備えている。この筐体１０は、上面の開口した矩形箱状のベース１１と、図示しない矩形板状のトップカバーとを備えている。トップカバーは、複数のねじによりベースにねじ止めされ、ベースの上端開口を閉塞している。これにより、筐体１０内部は気密に保持され、呼吸フィルター２６を通してのみ、外部と通気可能となっている。ベース１１およびトップカバーは例えばアルミ、鉄、ステンレス、冷間圧延炭素鋼鈑等の金属材料によって形成されている。
【００１４】
ベース１１上には、記録媒体としての磁気ディスク１２および機構部が設けられている。機構部は、磁気ディスク１２を支持および回転させるスピンドルモータ１３、磁気ディスク１２に対して情報の記録、再生を行なう複数、例えば、２つの磁気ヘッド３３、これらの磁気ヘッド３３を磁気ディスク１２の表面に対して移動自在に支持したヘッドアクチュエータ１４、ヘッドアクチュエータを回動および位置決めするボイスコイルモータ（以下ＶＣＭと称する）１５を備えている。また、ベース１１上には、磁気ヘッド３３が磁気ディスク１２の最外周に移動した際、磁気ヘッド３３を磁気ディスク１２から離間した位置に保持するランプロード機構１８、ＨＤＤに衝撃等が作用した際、ヘッドアクチュエータ１４を退避位置に保持するイナーシャラッチ機構２０、およびプリアンプ、ヘッドＩＣ等の電子部品が実装された基板ユニット１７が設けられている。
【００１５】
ベース１１の外面には、基板ユニット１７を介してスピンドルモータ１３、ＶＣＭ１５、および磁気ヘッド３３の動作を制御する制御回路基板２５がねじ止めされ、ベース１１の底壁と対向して位置している。
【００１６】
図１および図２に示すように、磁気ディスク１２は、垂直２層膜媒体として構成されている。磁気ディスク１２は、例えば、直径約２．５インチの円板状に形成され非磁性体からなる基板１６を有している。基板１６の各表面には、ソフト・マグネティク・アンダーレーヤーと呼ばれる下地層としての軟磁性層２３と、その上層部に、ディスク面に対して垂直方向に磁気異方性を有する垂直磁気記録層２２とが順次積層され、さらにその上に図示しない保護膜が形成されている。
【００１７】
図１に示すように、磁気ディスク１２は、スピンドルモータ１３のハブに互いに同軸的に嵌合されているとともに、ハブの上端にねじ止めされたクランプばね２１によりクランプされ、ハブに固定されている。磁気ディスク１２は、駆動モータとしてのスピンドルモータ１３により所定の速度で矢印Ｂ方向に回転駆動される。
【００１８】
ヘッドアクチュエータ１４は、ベース１１の底壁上に固定された軸受部２４と、軸受部から延出した複数のアーム２７と、を備えている。これらのアーム２７は、磁気ディスク１２の表面と平行に、かつ、互いに所定の間隔を置いて位置しているとともに、軸受部２４から同一の方向へ延出している。ヘッドアクチュエータ１４は、弾性変形可能な細長い板状のサスペンション３０を備えている。サスペンション３０は、その基端がスポット溶接あるいは接着によりアーム２７の先端に固定され、アームから延出している。各サスペンション３０は対応するアーム２７と一体に形成されていてもよい。各サスペンション３０の延出端に磁気ヘッド３３が支持されている。アーム２７およびサスペンション３０によりヘッドサスペンションを構成し、このヘッドサスペンションと磁気ヘッド３３とによりヘッドサスペンションアッセンブリを構成している。
【００１９】
図２に示すように、各磁気ヘッド３３は、ほぼ直方体形状のスライダ４２とこのスライダの流出端（トレーリング端）に設けられた記録再生用のヘッド部４４とを有している。磁気ヘッド３３は、サスペンション３０の先端部に設けられたジンバルばね４１に固定されている。各磁気ヘッド３３は、サスペンション３０の弾性により、磁気ディスク１２の表面に向かうヘッド荷重Ｌが印加されている。２本のアーム２７は所定の間隔を置いて互いに平行に位置し、これらのアームに取り付けられたサスペンション３０および磁気ヘッド３３は、磁気ディスク１２を間に挟んで互いに向かい合っている。
【００２０】
各磁気ヘッド３３は、サスペンション３０およびアーム２７上に固定された中継フレキシブルプリント回路基板（以下、中継ＦＰＣと称する）３５を介して後述するメインＦＰＣ３８に電気的に接続されている。
【００２１】
図１に示すように、基板ユニット１７は、フレキシブルプリント回路基板により形成されたＦＰＣ本体３６と、このＦＰＣ本体から延出したメインＦＰＣ３８とを有している。ＦＰＣ本体３６は、ベース１１の底面上に固定されている。ＦＰＣ本体３６上には、プリアンプ３７、ヘッドＩＣを含む電子部品が実装されている。メインＦＰＣ３８の延出端は、ヘッドアクチュエータ１４に接続され、各中継ＦＰＣ３５を介して磁気ヘッド３３に接続されている。
【００２２】
ＶＣＭ１５は、軸受部２４からアーム２７と反対方向に延出した図示しない支持フレーム、および支持フレームに支持されたボイスコイルを有している。ヘッドアクチュエータ１４をベース１１に組み込んだ状態において、ボイスコイルは、ベース１１上に固定された一対のヨーク３４間に位置し、これらのヨークおよびヨークに固定された磁石とともにＶＣＭ１５を構成している。
【００２３】
磁気ディスク１２が回転した状態でＶＣＭ１５のボイスコイルに通電することにより、ヘッドアクチュエータ１４が回動し、磁気ヘッド３３は磁気ディスク１２の所望のトラック上に移動および位置決めされる。この際、磁気ヘッド３３は、磁気ディスク１２の径方向に沿って、磁気ディスクの内周縁部と外周縁部との間を移動される。
【００２４】
次に、磁気ヘッド３３の構成について詳細に説明する。図３は、磁気ヘッド３３のヘッド部４４を拡大して示す断面図、図４は、ヘッド部の記録ヘッドを模式的に示す斜視図、図５は、記録ヘッド部分の主磁極先端部およびサイドシールド部分を拡大して示す側面図、図６は、記録ヘッドをディスク対向面側から見た平面図である。
【００２５】
図２および図３に示すように、磁気ヘッド３３は浮上型のヘッドとして構成され、ほぼ直方体状に形成されたスライダ４２と、スライダの流出端（トレーリング）側の端部に形成されたヘッド部４４とを有している。スライダ４２は、例えば、アルミナとチタンカーバイドの焼結体（アルチック）で形成され、ヘッド部４４は薄膜を積層して形成されている。
【００２６】
スライダ４２は、磁気ディスク１２の表面に対向する矩形状のディスク対向面（空気支持面（ＡＢＳ））４３を有している。スライダ４２は、磁気ディスク１２の回転によってディスク表面とディスク対向面４３との間に生じる空気流Ｃにより浮上する。空気流Ｃの方向は、磁気ディスク１２の回転方向Ｂと一致している。スライダ４２は、磁気ディスク１２表面に対し、ディスク対向面４３の長手方向が空気流Ｃの方向とほぼ一致するように配置されている。
【００２７】
スライダ４２は、空気流Ｃの流入側に位置するリーディング端４２ａおよび空気流Ｃの流出側に位置するトレーリング端４２ｂを有している。スライダ４２のディスク対向面４３には、リーディングステップ、トレーリングステップ、サイドステップ、負圧キャビティ等が形成されている。
【００２８】
図３に示すように、ヘッド部４４は、スライダ４２のトレーリング端部４２ｂに薄膜プロセスで形成された再生ヘッド５４および記録ヘッド５６を有し、記録用ヘッドと再生用ヘッドが分離した分離型磁気ヘッドとして形成されている。
【００２９】
再生ヘッド５４は、磁気抵抗効果を示す磁性膜６３と、この磁性膜のトレーリング側およびリーディング側に磁性膜６３を挟むように配置された軟磁気特性を有するシールド膜６２ａ、６２ｂと、で構成されている。これら磁性膜６３、シールド膜６２ａ、６２ｂの下端は、スライダ４２のディスク対向面４３に露出している。再生ヘッド５４は、磁気ディスク１２に記録された情報を再生する。
【００３０】
記録ヘッド５６は、再生ヘッド５４に対して、スライダ４２のトレーリング端４２ｂ側に設けられている。記録ヘッド５６は、トレーリング端側にライトシールド電極をもつ単磁極ヘッドとして構成されている。図３および図４に示すように、記録ヘッド５６は、磁気ディスク１２の表面に対して垂直方向の記録磁界を発生させる高透磁率・高飽和磁束密度を有する軟磁性材料からなる主磁極６６と、主磁極６６のトレーリング側に配置され、主磁極直下の軟磁性層２３を介して効率的に磁路を閉じるために設けられたライトシールド電極（リターン磁極）６８と、主磁極６６の上部をライトシールド電極６８に連結する連結部６７と、磁気ディスク１２に信号を書き込む際、主磁極６６に磁束を流すために主磁極６６およびライトシールド電極６８を含む磁路に巻きつくように配置された記録コイル７１と、を有している。
【００３１】
図３ないし図５に示すように、主磁極６６は、磁気ディスク１２の表面に対して垂直な方向に延び、主磁極６６の磁気ディスク側の下端部は、磁気ディスク１２に向かって幅が狭くなるように先細に絞り込まれ、その先端部６６ａは、他の部分に対して幅の狭い柱状に形成されている。図６に示すように、主磁極６６の先端部６６ａは、例えば、断面が台形状に形成され、トレーリング端側に位置した所定幅のトレーリング側端面６７ａ、トレーリング端面と対向しているとともにトレーリング側端面よりも幅の狭いリーディング側端面、および両側面を有している。主磁極６６の下端面は、スライダ４２のディスク対向面４３に露出している。トレーリング側端面６７ａの幅は、磁気ディスク１２におけるトラックの幅にほぼ対応している。
【００３２】
ライトシールド電極６８は、ほぼＬ字形状に形成され、その下端部６８ａは、細長い矩形状に形成されている。ライトシールド電極６８の下端面は、スライダ４２のディスク対向面４３に露出している。下端部６８ａのリーディング側端面６８ｂは、磁気ディスク１２のトラックの幅方向に沿って延びている。このリーディング側端面６８ｂは、主磁極６６のトレーリング側端面６７ａとライトギャップＷＧを置いて平行に対向している。
【００３３】
図４ないし図６に示すように、記録ヘッド５６は、主磁極６６のライトギャップＷＧの長さ方向両側に、すなわち、主磁極６６のトラック幅方向の両側に一対のサイドシールド７０が設けられている。これらのサイドシールド７０は、ディスク対向面４３上では、主磁極６６に対して磁気的に分断して設けられる。各サイドシールド７０は、高透磁率・高飽和磁束密度を有する軟磁性材料によりライトシールド電極６８の下端部６８ａと一体に形成され、下端部６８ａのリーディング側端面６８ｂからスライダ４２のリーディング端側に向かって延出している。
【００３４】
前記サイドシールド７０の各々は、ディスク対向面４３に露出し磁気ディスク１２と対向する底面７０ａと、この底面から立ち上がり主磁極６６と隙間ＳＧを置いて対向する側面７０ｂと、底面７０ａから立ち上がったリーディング側端面７０ｃと、底面と対向する上面とを有している。各サイドシールド７０の高さ（厚さ）ＳＨは、主磁極６６の先端部６６ａの高さよりも大きく形成されている。各サイドシールド７０の側面７０ｂは円弧状あるいは傾斜して形成され、主磁極６６の先端部６６ａの側面、および、主磁極６６の絞り部６６ｂの側面と隙間ＳＧを置いて対向している。
【００３５】
図４および図５に示すように、スライダ４２のディスク対向面４３から引込んだ位置で、かつ、主磁極６６とサイドシールド７０の側面７０ｂとが対向する位置に、低磁束密度層が形成されている。本実施形態においては、主磁極６６とサイドシールド７０の側面７０ｂとが対向する位置で、主磁極６６の絞り部６６ｂの両側面に低磁束密度層７６ａ、７６ｂが形成されている。低磁束密度層７６ａ、７６ｂの各々は、ディスク対向面４３から磁気ディスク１２と反対方向に離間した位置、すなわち、主磁極６６の先端部６６ａの根元部分から上部方向へ、サイドシールド７０の高さＳＨとほぼ同等の高さまで配置されている。
【００３６】
低磁束密度層７６ａ、７６ｂは、主磁極６６の飽和磁束密度Ｂｓ１よりも小さい飽和磁束密度Ｂｓ２を有する軟磁性材料で形成されている。本実施形態において、低磁束密度層７６ａ、７６ｂを形成する軟磁性材料の飽和磁束密度Ｂｓ２は、サイドシールド７０を形成する材料の飽和磁束密度Ｂｓ３よりも小さい。飽和磁束密度Ｂｓ１、Ｂｓ２、Ｂｓ３の軟磁性材料は、Ｆｅ、Ｃｏ、Ｎｉの内の少なくとも一種を含む合金、または化合物の中から選択している。低磁束密度層７６ａ、７６ｂは、絞り部６６ｂの両側面に重ねて形成してもよく、あるいは、絞り部６６ｂの両側面部分の組成を調整して、主磁極６６と一体に形成してもよい。低磁束密度層７６ａ、７６ｂは、図５に破線の矢印で示すような、主磁極６６からサイドシールド７０へ直接流れる磁束を抑制する。
【００３７】
図３に示すように、再生ヘッド５４および記録ヘッド５６は、スライダ４２のディスク対向面４３に露出する部分を除いて、保護絶縁膜７２により覆われている。保護絶縁膜７２は、ヘッド部４４の外形を構成している。
【００３８】
以上のように構成されたＨＤＤによれば、ＶＣＭ１５を駆動することにより、ヘッドアクチュエータ１４が回動し、磁気ヘッド３３は、磁気ディスク１２の所望のトラック上に移動され、位置決めされる。また、磁気ヘッド３３は、磁気ディスク１２の回転によってディスク表面とディスク対向面４３との間に生じる空気流Ｃにより浮上する。ＨＤＤの動作時、スライダ４２のディスク対向面４３はディスク表面に対し隙間を保って対向している。図２に示すように、磁気ヘッド３３は、ヘッド部４４の記録ヘッド５６部分が最も磁気ディスク１２表面に接近した傾斜姿勢をとって浮上する。この状態で、磁気ディスク１２に対して、再生ヘッド５４により記録情報の読み出しを行うとともに、記録ヘッド５６により情報の書き込みを行う。
【００３９】
情報の書き込みにおいては、記録コイル７１により主磁極６６を励磁し、この主磁極から直下の磁気ディスク１２の記録層２２に垂直方向の記録磁界を印加することにより、所望のトラック幅にて情報を記録する。この際、主磁極６６の先端部６６ａの両側にサイドシールド７０を設けることにより、隣接トラックへの書き込みを防止することができる。また、主磁極６６とサイドシールドとが対向する部分に低磁束密度層７６ａ、７６ｂを設け、これらの低磁束密度層により、主磁極６６からサイドシールド７０へ直接流れ込む磁束を規制および遮蔽することができる。これにより、サイドシールド７０直下から磁気ディスク１２へ磁束が漏れることを防止し、隣接トラックの情報を消去または劣化させる現象を無くすことができる。従って、オントラック信号品質を維持または向上させ、隣接トラックへの漏れ磁界を減少させることができ、磁気ディスクの磁気記録の高密度化を図ることができる。
【００４０】
本実施形態に係る磁気ヘッドと、低磁束密度層を持たない比較例（ａ）、（ｂ）に係る磁気ヘッドと、を用意し、これらの性能を比較した。比較例（ａ）の磁気ヘッドは、従来の構造を有し、比較例（ｂ）の磁気ヘッドは、磁界強度を確保するために、主磁極絞りこみ角度θ（図５参照）などを増大させた主磁極を組み合わせた従来の磁気ヘッドである。本実施形態に係る磁気ヘッドにおいて、主磁極６６を飽和磁束密度Ｂｓ１＝２．４Ｔの材料で形成し、サイドシールド７０は飽和磁束密度Ｂｓ３＝１．９Ｔの材料を用いた。低磁束密度層７６ａ、７６ｂは、飽和磁束密度Ｂｓ２＝１．５Ｔの材料とＢｓ２＝０．８Ｔの材料の２種類を使用し、それぞれの実施例を実施例（ａ）、実施例（ｂ）とする。
【００４１】
図７および図８は、実施例（ａ）、（ｂ）に係る磁気ヘッドと、比較例（ａ）、（ｂ）に係る磁気ヘッドとの記録性能を比較して示す図である。図７は、実施例（ａ）、（ｂ）に係る磁気ヘッドと、比較例（ａ）、（ｂ）に係る磁気ヘッドとについて、記録磁界分布のオフトラック方向プロファイルを比較して示している。
【００４２】
図７において、トラック幅方向位置＝０の位置を主磁極６６のトラック幅方向中心位置とし、実施例および比較例に係る磁気ヘッドによる記録磁界分布の片側オフトラック方向プロファイルを各特性線で示している。
【００４３】
比較例（ａ）に対して、比較例（ｂ）の場合、主磁極６６直下での磁界強度は増大しているが、サイドシールド７０直下からもれる磁界強度も増大している。比較例（ｂ）の磁気ヘッドの場合、サイドシールドによるイレーズ幅制御と主磁極直下の磁界強度は、トレードオフの関係にあることがいえる。
【００４４】
これに対して、実施例（ａ）の磁気ヘッドによれば、比較例（ｂ）に比較して、主磁極６６直下での磁界強度を維持、または向上させ、隣接トラックへの漏れ磁界が低減していることが分かる。また、実施例（ｂ）の場合、サイドシールド７０直下の漏れ磁界強度は低下するが、主磁極６６直下での磁界強度の劣化が顕著になってしまう。
【００４５】
図８は、実施例（ａ）および比較例（ｂ）の磁気ヘッドにおけるビットエラーレート（ＢＥＲ）のオフトラック方向プロファイルを比較して示している。トラック幅方向位置＝０の位置を記録ヘッドの主磁極６６のトラック幅方向中心位置とする。
【００４６】
図８において、□の特性線は、比較例（ｂ）の磁気ヘッドによって、トラック幅方向位置＝０を中心としてトラック幅方向に左右にオフセットしながら、磁気ディスクにランダムデータを書き込み再生を行った場合のビットエラーレートを示している。○の特性線は、比較例（ｂ）の磁気ヘッドにより、トラック幅方向位置＝０の位置で10000回書き込みを行った後、再びトラック幅方向に左右にオフセットさせながら再生した場合のビットエラーレートのオフトラック方向プロファイルを示している。サイドシールド７０から記録磁界が漏れることにより、隣接トラックへ磁界が及び、情報消去が起こるため、□の特性線に比べて、サイドシールド７０の側縁近傍でビットエラーレートが劣化していることが分かる。
【００４７】
図８において、●の特性線は、実施例（ａ）の磁気ヘッドによって、トラック幅方向位置＝０を中心としてトラック幅方向に左右にオフセットしながら、磁気ディスクにランダムデータを書き込み再生を行った場合のビットエラーレートを示している。■の特性線は、実施例（ａ）の磁気ヘッドにより、トラック幅方向位置＝０の位置で10000回書き込みを行った後、再びトラック幅方向に左右にオフセットさせながら再生した場合のビットエラーレートのオフトラック方向プロファイルを示している。これらのプロファイルから、実施例（ａ）の磁気ヘッドで記録を行う場合、隣接トラックでのビットエラーレートが低く、比較例（ｂ）に比べて、大きく向上していることが分かる。すなわち、実施例（ａ）の磁気ヘッドでは、サイドシールド７０直下、つまり、隣接トラックの信号品質を劣化させることがなく、高いトラック密度化が可能となる。
【００４８】
次に、この発明の第２の実施形態に係るＨＤＤの磁気ヘッドについて説明する。図９は、ヘッド部の記録ヘッドを模式的に示す斜視図、図１０は、記録ヘッド部分の主磁極先端部およびサイドシールド部分を拡大して示す側面図である。
【００４９】
図９および図１０に示すように、第２の実施形態によれば、磁気ヘッドの記録ヘッド５６は、磁気ディスク１２の表面に対して垂直方向の記録磁界を発生させる高透磁率・高飽和磁束密度を有する軟磁性材料からなる主磁極６６と、主磁極６６のトレーリング側に配置され、主磁極直下の軟磁性層２３を介して効率的に磁路を閉じるために設けられたライトシールド電極６８と、主磁極６６の上部をライトシールド電極６８に連結する連結部６７と、磁気ディスク１２に信号を書き込む際、主磁極６６に磁束を流すために主磁極６６およびライトシールド電極６８を含む磁路に巻きつくように配置された記録コイル７１と、を有している。主磁極６６は、磁気ディスク１２の表面に対して垂直な方向に延び、主磁極６６の磁気ディスク側の下端部は、磁気ディスク１２に向かって幅が狭くなるように先細に絞り込まれ、その先端部６６ａは、他の部分に対して幅の狭い柱状に形成されている。
【００５０】
記録ヘッド５６は、主磁極６６のトラック幅方向の両側に設けられた一対のサイドシールド７０を備えている。これらのサイドシールド７０は、ディスク対向面４３上では、主磁極６６に対して磁気的に分断して設けられる。各サイドシールド７０は、高透磁率・高飽和磁束密度を有する軟磁性材料によりライトシールド電極６８の下端部６８ａと一体に形成され、下端部６８ａのリーディング側端面６８ｂからスライダ４２のリーディング端側に向かって延出している。
【００５１】
スライダ４２のディスク対向面４３から引込んだ位置で、かつ、主磁極６６とサイドシールド７０の側面７０ｂとが対向する位置に、低磁束密度層が形成されている。本実施形態においては、主磁極６６とサイドシールド７０の側面７０ｂとが対向する位置で、主磁極６６の絞り部６６ｂの両側面に低磁束密度層７６ａ、７６ｂが形成されている。低磁束密度層７６ａ、７６ｂの各々は、ディスク対向面４３から磁気ディスク１２と反対方向に離間した位置、すなわち、主磁極６６の先端部６６ａの根元部分から上部方向へ、サイドシールド７０の高さＳＨとほぼ同等の高さまで配置されている。
【００５２】
また、主磁極６６とサイドシールド７０の側面７０ｂとが対向する位置で、両サイドシールド７０の側面７０ｂに低磁束密度層７８ａ、７８ｂが形成されている。
【００５３】
低磁束密度層７６ａ、７６ｂは、主磁極６６の飽和磁束密度Ｂｓ１よりも小さい飽和磁束密度Ｂｓ２を有する軟磁性材料で形成されている。本実施形態において、低磁束密度層７６ａ、７６ｂを形成する軟磁性材料の飽和磁束密度Ｂｓ２は、サイドシールド７０を形成する材料の飽和磁束密度Ｂｓ３よりも小さい。低磁束密度層７８ａ、７８ｂは、サイドシールド７０の飽和磁束密度Ｂｓ３よりも小さい飽和磁束密度Ｂｓ４を有する軟磁性材料で形成されている。飽和磁束密度Ｂｓ１、Ｂｓ２、Ｂｓ３、Ｂｓ４の軟磁性材料は、Ｆｅ、Ｃｏ、Ｎｉの内の少なくとも一種を含む合金、または化合物の中から選択している。
【００５４】
低磁束密度層７６ａ、７６ｂは、絞り部６６ｂの両側面に重ねて形成してもよく、あるいは、絞り部６６ｂの両側面部分の組成を調整して、主磁極６６と一体に形成してもよい。低磁束密度層７８ａ、７８ｂは、サイドシールド７０の側面７０ｂに重ねて形成してもよく、あるいは、サイドシールドの側面部分の組成を調整して、サイドシールドと一体に形成してもよい。これらの低磁束密度層７６ａ、７６ｂ、７８ａ、７８ｂは、主磁極６６からサイドシールド７０へ直接流れる磁束を抑制する。
【００５５】
なお、低磁束密度層は、主磁極６６とサイドシールド７０の側面７０ｂとの両方に設ける場合に限らず、主磁極６６とサイドシールド７０の側面７０ｂとが対向する位置で、サイドシールド７０の側面側のみに設ける構成としてもよい。
【００５６】
第２の実施形態において、磁気ヘッドおよびＨＤＤの他の構成は、前述した第１の実施形態と同一であり、同一の部分には、同一の参照符号を付してその詳細な説明を省略する。そして、上記のように構成された第２の実施形態に係る磁気ヘッドにおいても、第１の実施形態と同様の作用効果を得ることができる。
【００５７】
第２の実施形態に係る磁気ヘッドについて、例えば、主磁極６６は、飽和磁束密度Ｂｓ１＝２．４Ｔの材料、サイドシールド７０は飽和磁束密度Ｂｓ３＝１．９Ｔの材料、主磁極側の低磁束密度層７６ａ、７６ｂはＢｓ２＝１．５Ｔの材料、サイドシールド側の低磁束密度層は、飽和磁束密度Ｂｓ４＝１．２Ｔの材料を使用して形成し、その性能を従来例の磁気ヘッドと比較した。
【００５８】
従来例の磁気ヘッドに比べ、本実施例の磁気ヘッドでは主磁極直下での磁界強度を維持または向上させ、隣接トラックへの漏れ磁界を減少させることができる。また、トラック幅方向位置＝０の位置から、トラック方向に左右にオフセットしながら、磁気ディスクにランダムデータを書き込み再生を行いビットエラーレートのオフトラックプロファイルを測定した後、トラック幅方向位置＝０の位置で10000回書き込み、オフトラックさせながら再生を行った場合のビットエラーレートのオフトラック方向プロファイルを測定し、その変化を調べた。従来例の磁気ヘッドの場合、サイドシールドエッジ近傍直下の隣接トラックでビットエラーレートが劣化しているのに対して、本実施例の磁気ヘッドではサイドシールドエッジ近傍直下の隣接トラックでビットエラーレートは劣化しなかった。  
このことから、本実施形態に係る磁気ヘッドによれば、隣接トラックの信号品質を劣化させることなく、高トラック密度化を可能とする効果が得られることが分る。
【００５９】
次に、この発明の第３の実施形態に係るＨＤＤの磁気ヘッドについて説明する。図１１は、記録ヘッド部分の主磁極先端部およびサイドシールド部分を拡大して示している。  
図１１に示すように、第３の実施形態によれば、スライダのディスク対向面から引込んだ位置で、かつ、主磁極６６とサイドシールド７０の側面７０ｂとが対向する位置に、低磁束密度層が形成されている。ここでは、主磁極６６とサイドシールド７０の側面７０ｂとの隙間に低磁束密度層８０ａ、８０ｂが充填された状態で配置され、主磁極６６およびサイドシールド７０の側面７０ｂに接している。低磁束密度層８０ａ、８０ｂの各々は、主磁極６６の先端部６６ａの根元部分から上部方向へ、サイドシールド７０の高さＳＨとほぼ同等の高さまで配置されている。
【００６０】
低磁束密度層８０ａ、８０ｂは、主磁極６６の飽和磁束密度Ｂｓ１およびサイドシールド７０の飽和磁束密度Ｂｓ３よりも小さい飽和磁束密度Ｂｓ５を有する軟磁性材料で形成されている。飽和磁束密度Ｂｓ１、Ｂｓ３、Ｂｓ５の軟磁性材料は、Ｆｅ、Ｃｏ、Ｎｉの内の少なくとも一種を含む合金、または化合物の中から選択している。
【００６１】
例えば、主磁極６６は、飽和磁束密度Ｂｓ１＝２．４Ｔの材料、サイドシールド７０は飽和磁束密度Ｂｓ３＝１．９Ｔの材料、低磁束密度層８０ａ、８０ｂはＢｓ５＝０．５Ｔの材料を用いてそれぞれ形成している。
【００６２】
第３の実施形態において、磁気ヘッドおよびＨＤＤの他の構成は、前述した第１の実施形態と同一であり、同一の部分には、同一の参照符号を付してその詳細な説明を省略する。そして、上記のように構成された第３の実施形態に係る磁気ヘッドにおいても、第１の実施形態と同様の作用効果を得ることができる。
【００６３】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００６４】
例えば、記録ヘッドの各要素を形成する材料は、上述した実施形態に限らず、適宜、変更可能である。また、各要素の飽和磁束密度の値は、上述した実施形態に限定されることなく、適宜、変更可能である。ヘッド部を構成する要素の材料、形状、大きさ等は、必要に応じて変更可能である。また、磁気ディスク装置において、磁気ディスクおよび磁気ヘッドの数は、必要に応じて増加可能であり、磁気ディスクのサイズも種々選択可能である。
【符号の説明】
【００６５】
１０…筺体、１１…ベース、１２…磁気ディスク、１３…スピンドルモータ、
１４…ヘッドアクチュエータ、２５…制御回路基板、２７…アーム、
３０…サスペンション、３３…磁気ヘッド、４２…スライダ、４３…ディスク対向面、
４４…ヘッド部、５４…再生ヘッド、５６…記録ヘッド、６６…主磁極、
６６ｂ…絞り部、６７ａ…トレーリング側端面、６８…ライトシールド磁極、
７０…サイドシールド、７０ａ…底面、７０ｂ…側面、７１…記録コイル、
７６ａ、７６ｂ、７８ａ、７８ｂ、８０ａ、８０ｂ…低磁束密度層、
ＷＧ…ライトギャップ
【図１】
2010287289.tif 000003
【図２】
2010287289.tif 000004
【図３】
2010287289.tif 000005
【図４】
2010287289.tif 000006
【図５】
2010287289.tif 000007
【図６】
2010287289.tif 000008
【図７】
2010287289.tif 000009
【図８】
2010287289.tif 000010
【図９】
2010287289.tif 000011
【図１０】
2010287289.tif 000012
【図１１】
2010287289.tif 000013
【手続補正書】
【提出日】平成22年8月11日(2010.8.11)
【手続補正１】
【補正対象書類名】特許請求の範囲
【補正対象項目名】全文
【補正方法】変更
【補正の内容】
【特許請求の範囲】
【請求項１】
媒体面に対して垂直方向に磁気異方性を有する記録層を有する記録媒体に記録を行う垂直記録用の磁気ヘッドであって、
前記記録媒体の表面と対向する対向面を有するスライダと、
前記スライダに設けられ前記記録媒体に対し情報処理を行うヘッド部と、を備え、前記ヘッド部は、
前記記録層に対し垂直な記録磁界を印加する主磁極と、
前記主磁極を励磁する記録コイルと、
前記主磁極のトレーリング側にライトギャップを置いて対向し、前記記録媒体の下地層との間で閉磁路を形成するライトシールド磁極と、
前記主磁極のトラック幅方向の両側に、前記主磁極から磁気的に離間して設けられたサイドシールドと、
前記主磁極の飽和磁束密度よりも小さい飽和磁束密度を有する材料で形成され、前記主磁極とサイドシールドとが対向する位置に設けられ、前記主磁極からサイドシールドへの磁束の流を規制する低磁束密度層と、
を備えている磁気ヘッド。
【請求項２】
前記低磁束密度層は、前記主磁極とサイドシールドとが対向する位置で前記主磁極に形成されている請求項１に記載の磁気ヘッド。
【請求項３】
前記低磁束密度層は、前記主磁極とサイドシールドとが対向する位置で前記サイドシールドに形成されている請求項１に記載の磁気ヘッド。
【請求項４】
前記サイドシールドは、前記主磁極の飽和磁束密度よりも小さい飽和磁束密度を有する材料で形成され、前記低磁束密度層は、前記主磁極の飽和磁束密度および前記サイドシールドの飽和磁束密度よりも小さい飽和磁束密度を有する材料で形成されている請求項１ないし３のいずれか１項に記載の磁気ヘッド。
【請求項５】
前記主磁極は、前記記録媒体の表面に対して垂直な方向に延び、前記記録媒体の表面側に向かって先細に絞られた絞り部と、絞り部から前記ディスク対向面まで延びる先端部とを有し、
前記低磁束密度層は、前記絞り部の側面とサイドシールドの側面とが対向する位置に設けられている請求項１ないし４のいずれか１項に記載の磁気ヘッド。
【請求項６】
媒体面に対して垂直方向に磁気異方性を有する記録層を有するディスク状の記録媒体と、
前記記録媒体を支持しているとともに回転する駆動部と、
前記記録媒体の表面と対向する対向面を有するスライダ、および前記スライダに設けられ前記記録媒体に対し情報処理を行うヘッド部を有する磁気ヘッドと、を備え、
前記ヘッド部は、
前記記録層に対し垂直な記録磁界を印加する主磁極と、
前記主磁極を励磁する記録コイルと、
前記主磁極のトレーリング側にライトギャップを置いて対向し、前記記録媒体の下地層との間で閉磁路を形成するライトシールド磁極と、
前記主磁極のトラック幅方向の両側に、前記主磁極から磁気的に離間して設けられたサイドシールドと、
前記主磁極の飽和磁束密度よりも小さい飽和磁束密度を有する材料で形成され、前記主磁極とサイドシールドとが対向する位置に設けられ、前記主磁極からサイドシールドへの磁束の流を規制する低磁束密度層と、
を備えているディスク装置。
【請求項７】
前記記録媒体は、軟磁気特性を有する下地層を有している請求項６に記載のディスク装置。